【手続補正書】
【提出日】平成20年8月25日(2008.8.25)
【手続補正１】
【補正対象書類名】特許請求の範囲
【補正対象項目名】全文
【補正方法】変更
【補正の内容】
【特許請求の範囲】
【請求項１】
視覚的表示装置と、
該視覚的表示装置とユーザの視野との間の実質的に既知の関係を提供するような位置に前記ユーザの頭部を配置する配置手段と、
既知の表示位置に所定のパターンを表示するように前記視覚的表示装置を作動させる表示位置制御手段であって、前記表示位置は、前記配置手段に配置されている間の前記ユーザの視野の特定の視野領域に対応していることと、
前記所定のパターンが本装置の使用中に見られたと前記ユーザがみなしたときに、ユーザ応答が提供されることを可能にする、前記ユーザによって作動可能なユーザ作動可能応答手段と、
前記既知の表示位置に前記所定のパターンを反復表示するように前記表示位置制御手段を制御する更なる制御手段と、
現在のユーザに対して、前記既知の表示位置に前記所定のパターンを表示するように、且つ、その表示位置に対するユーザ応答の統計的有意性を評価するように、ユーザ応答を照合する手段と
を備える視力訓練装置。
【請求項２】
前記更なる制御手段は、現在のユーザに応じた特定の表示位置に表示するように前記表示位置制御手段を制御する請求項１記載の装置。
【請求項３】
前記更なる制御手段は、本装置の単一の使用中における特定の回数、既知の表示位置に前記所定のパターンを表示するように前記表示位置制御手段を制御する請求項１または２記載の装置。
【請求項４】
前記更なる制御手段は、本装置の単一の使用中に、特定の数の既知の表示位置に前記所定のパターンを表示するように前記表示位置制御手段を制御する、請求項１乃至３のいずれか一項に記載の装置。
【請求項５】
前記更なる制御手段は、本装置の新しいユーザに対して最大コントラストで前記所定のパターンを表示するように前記表示位置制御手段を制御する、請求項１乃至４のいずれか一項に記載の装置。
【請求項６】
前記更なる制御手段は、前記ユーザ応答の統計的有意性が所定のレベルよりも高いときに前記所定のパターンのコントラストを低下させ、前記ユーザ応答の統計的有意性が所定のレベル未満であるときに前記所定のパターンのコントラストを増大させるように前記表示位置制御手段を制御する請求項５記載の装置。
【請求項７】
前記更なる制御手段は、前記表示制御手段が前記コントラストを増大させる量よりも大きい量、前記所定のパターンのコントラストを低下させるように前記表示位置制御手段を制御する請求項６記載の装置。
【請求項８】
前記更なる制御手段は、前記表示制御手段が前記コントラストを増大させる量と等しい量、前記所定のパターンのコントラストを低下させるように前記表示位置制御手段を制御する請求項６記載の装置。
【請求項９】
前記所定のパターンの表示がいつ行われるかの表示を前記ユーザに与える手段をさらに備える、請求項１乃至８のいずれか一項に記載の装置。
【請求項１０】
前記所定のパターンの表示がいつ行われるかの表示を前記ユーザに与える手段は、可聴信号と、前記表示との関係における所定のタイミングで前記ユーザに前記音声信号を与える手段とを備えている請求項９記載の装置。
【請求項１１】
前記所定のパターンは、複数のサイクルの明暗の線形特徴を交互にしたものを含んだ格子の形態をなしている、請求項１乃至１０のいずれか一項に記載の装置。
【請求項１２】
前記明暗の線形特徴を交互にしたサイクルの数は、前記視野の角度１度当たり実質的に０．０１〜１０．０の範囲内にある請求項１１記載の装置。
【請求項１３】
前記明暗の線形特徴を交互にしたサイクルの数は、前記視野の角度１度当たり実質的に０．５〜７．０の範囲内にある請求項１２記載の装置。
【請求項１４】
前記明暗の線形特徴を交互にしたサイクルの数は、前記視野内で角度１度当たり実質的に１．０である請求項１３記載の装置。
【請求項１５】
前記所定のパターンは、ドットおよびチェックのうちの少なくとも一方の形態をなしている請求項１乃至１０のいずれか一項に記載の装置。
【請求項１６】
前記所定のパターンは、実質的に円形境界内に包含されている、請求項１乃至１５のいずれか一項に記載の装置。
【請求項１７】
前記所定のパターンは、実質的に正方形境界内に包含されている請求項１乃至１５のいずれか一項に記載の装置。
【請求項１８】
前記境界の直径または辺は、前記ユーザの視野における実質的に１〜３０度の範囲の角度の境界を定めている請求項１６または１７記載の装置。
【請求項１９】
前記境界の直径または辺は、前記ユーザの視野における実質的に２〜１２度の範囲の角度の境界を定めている請求項１８記載の装置。
【請求項２０】
前記境界の直径または辺は、前記ユーザの視野における実質的に６度の角度の境界を定めている請求項１９記載の装置。
【請求項２１】
前記更なる制御手段は、実質的に１〜３０Ｈｚの範囲の空間周波数で前記所定のパターンを表示するように前記表示位置制御手段を制御する請求項１乃至２０のいずれか一項に記載の装置。
【請求項２２】
前記更なる制御手段は、実質的に１０Ｈｚの周波数で前記所定のパターンを表示するように表示位置制御手段を制御する請求項２１記載の装置。
【請求項２３】
空間周波数は、前記所定のパターンを点滅表示することによって達成される請求項１乃至２２のいずれか一項に記載の装置。
【請求項２４】
空間周波数は、前記所定のパターンを逆位相化することによって達成される請求項１乃至２２のいずれか一項に記載の装置。
【請求項２５】
空間周波数は、表示画面を横切って前記所定のパターンを横滑りさせることによって達成される請求項１乃至２２のいずれか一項に記載の装置。
【請求項２６】
視覚刺激のパターンは静的である、請求項１乃至２５のいずれか一項に記載の装置。
【請求項２７】
視覚刺激のパターンは動的である、請求項１乃至２５のいずれか一項に記載の装置。
【請求項２８】
視覚刺激のパターンは、表示画面上で回転される請求項２７記載の装置。
【請求項２９】
前記視覚的表示装置と前記ユーザの視野との間の実質的に既知の関係を提供するのを支援する、予め選択された位置に前記ユーザの凝視を引き付ける引付け手段をさらに備える、請求項１乃至２８のいずれか一項に記載の装置。
【請求項３０】
前記ユーザ作動可能応答手段は、前記刺激についての前記観察者の知覚に応答した接触または動きによってその状態が変化することができる触知性電子装置を備える、請求項１乃至２９のいずれか一項に記載の装置。
【請求項３１】
前記ユーザ作動可能応答手段は、音声作動される請求項１乃至２５のいずれか一項に記載の装置。
【請求項３２】
前記視覚的表示装置は、コンピュータ画面またはプロジェクタを備える、請求項１乃至３１のいずれか一項に記載の装置。
【請求項３３】
前記配置手段は、調整可能な顎当てを備える、請求項１乃至３２のいずれか一項に記載の装置。
【請求項３４】
一または複数のユーザ・プロファイルを格納するメモリ手段をさらに備え、前記ユーザ視野の不十分な領域が前記メモリ手段に格納され、
前記更なる制御手段は、前記プロファイルに応じた既知の表示位置を選択し、該既知の表示位置に前記所定のパターンを表示するように、前記ユーザ応答を前記メモリ手段に格納する、請求項１乃至３３のいずれか一項に記載の装置。
【請求項３５】
前記更なる制御手段は、前記ユーザが限定された視力を有しているか、または、まったく視力を有していない場合に、前記ユーザの視野の視野領域に対応させるように前記既知の表示位置を選択する請求項３４記載の装置。
【請求項３６】
配置手段と共に、視力訓練装置としてコンピュータおよび視覚的表示装置を構成するプログラム・コードを含んだコンピュータ読取り可能な媒体であって、前記配置手段は、ユーザの頭部を、前記視覚的表示装置と前記ユーザの視野との間の実質的に既知の関係を提供するような位置に配置し、前記コンピュータ読取り可能な媒体は、
既知の表示位置に所定のパターンを表示するように前記視覚的表示装置を作動させる第１のプログラム・コードであって、前記表示位置は、前記配置手段に配置されている間の前記ユーザの視野の特定の視野領域に対応していることと、
前記所定のパターンが本装置の使用中に見られたと前記ユーザがみなしたときにユーザ応答を判断する第２のプログラム・コードと、
前記既知の表示位置に前記所定のパターンを反復表示するように前記表示位置制御手段を制御する第３のプログラム・コードと、
前記既知の表示位置に前記所定のパターンを表示するように前記ユーザ応答を照合し、その表示位置に対する前記ユーザ応答の統計的有意性を評価する第４のプログラム・コードと
を含む、コンピュータ読取り可能な媒体。
【請求項３７】
添付の図面を参照して上述した視力訓練装置。
【請求項３８】
添付の図面を参照して上述したように、配置手段と共に、視力訓練装置としてコンピュータおよび視覚的表示装置を構成するプログラム・コードを含んだコンピュータ読取り可能な媒体であって、配置手段は、ユーザの頭部を、視覚的表示装置とユーザの視野との間の既知の関係を提供するような位置に配置する、コンピュータ読取り可能な媒体。